(57)【要約】【課題】冷蔵庫の下などの狭い空間に内容物を噴射することができるエアゾール製品を提供する。【解決手段】エアゾール容器と、該エアゾール容器のエアゾールバルブのステムに嵌着され、指押し操作可能な噴射部材と、該エアゾール容器の頂部に装着され、前記噴射部材の周囲を覆い、指押し操作する指を外部から挿入できる開口を有するカバー部材と、該カバー部材に支持される操作部材とを備えているエアゾール製品であって、前記操作部材が、前記噴射部材を指でのみ操作可能な位置と、固定面に押し付けて前記噴射部材を操作可能な位置とに切り換え可能である。【選択図】　　　　図１
2004074040.tif 000002
【特許請求の範囲】
【請求項１】
エアゾール容器と、該エアゾール容器のエアゾールバルブのステムに嵌着され、指押し操作可能な噴射部材と、該エアゾール容器の頂部に装着され、前記噴射部材の周囲を覆い、指押し操作する指を外部から挿入できる開口を有するカバー部材と、該カバー部材に支持される操作部材とを備えているエアゾール製品であって、前記操作部材が、前記噴射部材を指でのみ操作可能な位置と、固定面に押し付けて前記噴射部材を操作可能な位置とに切り換え可能であるエアゾール製品。
【請求項２】
前記操作部材が、さらに前記噴射部材が作動できないロック状態に切り換え可能である請求項１記載のエアゾール製品。
【請求項３】
前記操作部材が前記カバー部材に回動自在に支持されている請求項１または２記載のエアゾール製品。
【請求項４】
前記操作部材が、前記カバー部材の両側部に支持される軸部と、該軸部から延長する作用部とからなる請求項１、２または３記載のエアゾール製品。
【請求項５】
前記作用部の先端部が操作時において外方に曲面を呈するように成形されている請求項４記載のエアゾール製品。
【請求項６】
前記操作部材が、前記カバー部材に移動自在に嵌合する脚部と、該脚部から延長する作用部とからなる請求項１記載のエアゾール製品。
【請求項７】
エアゾール容器と、該エアゾール容器のエアゾールバルブのステムに嵌着され、指押し操作可能な噴射部材と、該エアゾール容器の頂部に装着され、前記噴射部材の周囲を覆い、指押し操作する指を外部から挿入できる開口を有するカバー部材と、前記噴射部材に支持される操作部材とを備えているエアゾール製品であって、前記操作部材が、前記噴射部材を指でのみ操作可能な位置と、固定面に押し付けて前記噴射部材を操作可能な位置とに切り換え可能であるエアゾール製品。
【請求項８】
前記操作部材が前記噴射部材に回動自在に支持されている請求項７記載のエアゾール製品。
【請求項９】
前記作用部が噴射部材に接触する部分が前記ステムの軸線上または該軸線を含む面内に位置する請求項１、２、３、４、５、６、７または８記載のエアゾール製品。
【発明の詳細な説明】
【０００１】
【発明の属する技術分野】
本発明はエアゾール製品に関する。さらに詳しくは、冷蔵庫の下などの狭い空間に内容物（エアゾール組成物）を噴射することができるエアゾール製品に関する。
【０００２】
【従来の技術および発明が解決しようとする課題】
一般的なエアゾール製品は、有底筒状の容器本体と、該容器本体の開口部に固着されるエアゾールバルブと、該バルブに装着される噴射部材とを備えており、噴射部材を操作することにより、容器内部に充填される内容物（エアゾール組成物）を噴射することができる。従来のエアゾール製品は、室内や車内などの広い空間または壁や床など噴射する対象物が大きい場合には、これらに容易に噴射することができる。
【０００３】
しかしながら、冷蔵庫と床面または壁との隙間や、タンスと天井または壁との隙間などの狭い空間に殺虫剤などのエアゾール組成物を噴射する場合には、隙間を構成する壁などに噴射したエアゾール組成物が衝突しやすく、壁などに付着したり、噴射方向が妨げられるなどにより、効果的に噴射することは容易ではない。しかも、前記隙間などの狭い空間に効果的に噴射するためには、前記空間と平行となるように噴射口を向け、さらに噴射部材を操作する指を床面や天井、壁とほぼ同じ位置までもっていく必要があり、操作しにくい。また、靴の中のように、開口部が狭く奥行きが長いものについては、手が開口部内に入りにくいため、開口部の外側から消臭剤などのエアゾール組成物を噴射しなくてはならず、先端には届きにくい。
【０００４】
これに対し、カバー部材がなく噴射部材が露出しているような、対象物に向かって噴射部材が突出しているエアゾール製品を用いる場合には、容器を把持し、噴射部材を床面などの固定面に押し付けて操作することも可能であるが、押し付ける角度によっては噴射部材を確実に作動できずに噴射しなかったり、バルブのステムを折ってしまうこともある。また、噴射部材に物が当たったり、エアゾール製品が転倒または落下して噴射部材を作動してしまうなど不必要なときに噴射してしまう場合がある。さらにたとえば厨房や台所のように押し付ける面が油で汚れている場合には、噴射部材の天面が汚れるという問題がある。
【０００５】
本発明は、叙上の事情に鑑み、冷蔵庫の下などの狭い空間に内容物を噴射することができるエアゾール製品を提供することを目的とする。
【０００６】
【課題を解決するための手段】
本発明のエアゾール製品は、エアゾール容器と、該エアゾール容器のエアゾールバルブのステムに嵌着され、指押し操作可能な噴射部材と、該エアゾール容器の頂部に装着され、前記噴射部材の周囲を覆い、指押し操作する指を外部から挿入できる開口を有するカバー部材と、該カバー部材に支持される操作部材とを備えているエアゾール製品であって、前記操作部材が、前記噴射部材を指でのみ操作可能な位置と、固定面に押し付けて前記噴射部材を操作可能な位置とに切り換え可能であることを特徴とする。
【０００７】
また、本発明のエアゾール製品は、エアゾール容器と、該エアゾール容器のエアゾールバルブのステムに嵌着され、指押し操作可能な噴射部材と、該エアゾール容器の頂部に装着され、前記噴射部材の周囲を覆い、指押し操作する指を外部から挿入できる開口を有するカバー部材と、前記噴射部材に支持される操作部材とを備えているエアゾール製品であって、前記操作部材が、前記噴射部材を指でのみ操作可能な位置と、固定面に押し付けて前記噴射部材を操作可能な位置とに切り換え可能であることを特徴とする。
【０００８】
【発明の実施の形態】
以下、添付図面に基づいて、本発明のエアゾール製品を説明する。
【０００９】
実施の形態１
図１に示されるように、本発明の実施の形態１にかかわるエアゾール製品は、エアゾール容器１、噴射部材２、カバー部材３および操作部材４から構成されている。
【００１０】
前記エアゾール容器１は、本発明において、とくに限定されるものではなく、容器本体５が一重構造である一般的なエアゾール容器、容器本体５とその内部に収納される収縮可能な内部容器からなる二重構造エアゾール容器または容器本体５とその内面に摺動自在に設けられるピストンからなるピストン型エアゾール容器などから、内部に充填される内容物の種類により適宜選定することができる。この容器本体５としては、アルミニウム製容器、ブリキ製容器などの金属製容器またはポリエチレンテレフタレート（ＰＥＴ）やポリブチレンテレフタレート（ＰＢＴ）などの樹脂製容器、ガラス製容器などの耐圧性容器などを用いることができる。
【００１１】
また、本実施の形態１においては、前記容器本体５の開口部に固着されるエアゾールバルブ６には、ステム７を押し下げるとバルブを開放するプッシュダウン方式のバルブが用いられている。たとえばこのエアゾールバルブ６としては、容器本体５の上端開口部に形成されるビード部にガスケットを介して取り付けられるマウンティングカップ８と該マウンティングカップ８の中央内部に支持される噴射バルブとからなるものを用いることができる。該噴射バルブは、ハウジングと、該ハウジング内に配設され、連通孔が形成された前記ステム７と、該ステム７を外方へ付勢するスプリングと、前記ステム７の外周に嵌装されるステムラバーとから構成されている。
【００１２】
前記噴射部材２は、前記ステム７に嵌着される噴射部材２の天面２ａが、前記カバー部材３より低く、突出さえしていなければ、その形状や構造は、本発明において、とくに限定されるものではない。たとえば噴射部材２として、噴射口９にメカニカルブレークアツプ機構を装着したもの、噴射口９にロングノズルが着脱自在にできるものまたは噴射口９の部分が回転自在なジョイント構造にされ、ロングノズルを水平方向または垂直方向に切り換えできるものなどを用いることができる。
【００１３】
前記カバー部材３は、前記噴射部材２の周囲を覆うように、下部の係合爪１０が前記マウンティングカップ８のカール部に係合し、前記エアゾール容器１の頂部に装着されており、上端、前記噴射部材の噴射口９側の前方開口および該前方開口に対向する後方開口が開放している。該後方開口は、エアゾール製品を把持した手の指で噴射部材２の天面２ａを操作できるように、カバー部材３の外部から操作する指を該カバー部材３内に挿入できる大きさであることが好ましい。また、後方開口の底部には、後述する操作部材４の先端部（操作部）１２ａを係止する係止突起３ｂが設けられている。該係止突起３ｂは、エアゾール製品を保管や搬送するときなどの場合に、噴射部材２が操作部材４の一部と当接して作動できないように操作部材４をその位置で係止するために設けられている。該係止突起３ｂは、操作部材４と係止できるものであれば、その形状や大きさなどはとくに限定されるものではないが、本実施の形態１では、図１〜３に示されるように、断面が三角形である係止突起３ｂがカバー部材３の基部に設けられている。
【００１４】
前記操作部材４は、本発明においては、とくに限定されるものではないが、本実施の形態１では、軸部１１と、該軸部１１からくの字状に延長する作用部１２とから構成されている。本実施の形態１では、この作用部１２は、Ｕ字状のフレーム体であり、当該フレーム間が人差し指が入れる大きさに形成されており、必要に応じて指で噴射部材を操作できるようにされている。また、前記軸部１１は、カバー部材３の両側部３ａに回動自在に支持され、噴射操作する際、図１に示す収納状態Ａ、すなわちエアゾール製品の保管状態から前記噴射部材２の天面２ａ側（Ｔ１方向）に回動させたのち、図２〜３に示されるように、作用部１２の先端部１２ａがカバー部材３の側部３ａより突出し、該先端部１２ａを押圧すると、該噴射部材２を押圧することができる回動可能なテコ式となっている。前記側部３ａからの先端部１２ａの突出量は、前記ステム７が押し下げられ、該ステム７の連通孔が開放するまでの作動量に等しくなるように設定されている。なお、図１に示されるように、前記操作部材４を使用しないエアゾール製品の保管時には、操作部材４の作用部１２が作動しないように、該作用部１２の先端部１２ａが前記カバー部材３の係止突起３ｂに係合（ロック）させるようにするのが好ましい。また、係止突起３ｂを設けず、作用部１２の先端部１２ａをマウンティングカップ８のカール部に係合させてもよい。収納状態には、作用部１２が噴射部材２の上に露出していないため、誤ってカバー部材３に物などが落ちても噴射するおそれがない。
【００１５】
本実施の形態１では、容器本体５の胴部を把持したのち、まず図１に示す収納状態Ａから作用部１２をＴｏ方向に回動して作用部４の先端部１２ａを係止突起３ｂを乗りこえさせる。この状態では、作用部１２の先端部１２ａと係止突起３ｂとの係合が解除されているため、噴射部材２の天面２ａを指で押し下げて空間や床面などに噴射することができる。しかし、噴射部材２は、カバー部材３で覆われているため、床や天井、壁などの固定面に押し付けて噴射することはできない。すなわちこの状態では、指でのみ噴射操作することができる。またはさらに該作用部４をＴ１方向に回動して、図２〜３に示されるように、噴射部材２の天面２ａに作用部１２を位置させる。ついで容器本体５の胴部から底部を把持し、該作用部１２の先端部１２ａを床や天井、壁などの固定面に押し付けると、軸部１１を支点として、作用部１２を介して前記噴射部材２を押圧する。これにより、ステム７が押し下げられるため、バルブが開放し、たとえば床面と冷蔵庫とのあいだの狭い空間や、壁面とタンスなどの物体とのあいだの狭い空間に該物体に対してほぼ平行に内容物を噴射することができ、狭い空間に対しても効果的に噴射することができる。また、本実施の形態１では、靴の中などのように、開口部が狭く奥行きの長い空間についても同様に作用部１２を介して噴射部材２を押圧することにより、容易に内容物を噴射することもできる。さらに作用部１２がＵ字状のフレーム体であり、フレーム間が人差し指を入れることができる大きさであるため、この状態でも噴射部材を指で押し下げることができる。
【００１６】
なお、ステム７を確実に垂直下方へ押し下げるために、作用部１２が噴射部材２に接触する部分Ｐが前記ステム７の軸線上に位置するのが好ましい。
【００１７】
また、噴射操作時、作用部１２の先端部１２ａの押し付け角度が垂直方向から多少傾いても、噴射部材２を操作できるように、前記作用部１２の先端部１２ａが操作時において外方に曲面を呈するように成形されている。
【００１８】
なお、ゴキブリ用殺虫剤のように、床面に操作部材を押し付けて冷蔵庫の下などの足元の狭い空間に噴射する場合と、噴射部材を指で押し下げて床面に対して噴射する場合とではエアゾール容器の向きが正倒立逆となる。その場合、各噴射方法での好ましい噴霧状態とするために、エアゾールバルブのハウジングの下孔（アンダータップ）と横孔（べーパータップ）との孔径を調整したり、または同じ噴霧状態とする場合には、下孔と横孔とを同じ孔径にしたバルブや正倒立用バルブを用いたり、二重構造容器やピストン型容器を用いるなどの手段を用いることが好ましい。
【００１９】
実施の形態２
つぎに本発明の実施の形態２を説明する。本実施の形態２では、図４に示されるように、軸部２１と作用部２２とからなる操作部材２３がカバー部材２４の噴射部材２５の噴射口２６側（前方開口側）の側部２４ａに設けられている。また、図５に示されるように、この作用部２２には、噴射口２６を挿通させるための開口２７が形成されている。該作用部２２の曲面形状の先端部２２ａは、実施の形態１と同様に前記カバー部材２４の係止突起２４ｂに係合（ロック）している。
【００２０】
本実施の形態２では、容器本体５の胴部を把持したのち、図４に示す収納状態Ｂから作用部２２をＴｏ方向に回動して作用部２２の先端部２２ａと係止突起２４ｂとの係合を解除する。このとき、カバー部材２４の上端および後方開口から指を挿入したのち、前記噴射部材２５の天面２５ａ（図６参照）を指で操作して従来のエアゾール製品と同様に噴射することができる。またはさらに該作用部２２をＴ２方向に回動して、図６に示されるように、噴射部材２５の天面２５ａに作用部２２を位置させる。このとき、ステム７を確実に垂直下方へ押し下げることができるように、作用部２２が噴射部材２５に接触する部分Ｐが前記ステム７の軸線上に位置している。ついで容器本体５の胴部から底部を把持し、該作用部２２の先端部２２ａを床や天井、壁などの固定面に押し付けると、軸部２１を支点として、作用部２２を介して前記噴射部材２５を押圧する。これにより、ステム７が押し下げられるため、バルブが開放し、内容物を噴射することもできる。
【００２１】
実施の形態３
つぎに本発明の実施の形態３を説明する。本実施の形態３では、図７〜９に示されるように、操作部材３１が、カバー部材３２の両側部３２ａの縦溝３３に移動自在に嵌合する脚部３４と、該脚部３４から延長する作用部３５とから構成されている。前記縦溝３３の上端には、脚部３４が弾性作用で嵌り込む凹部３６が形成されている。本実施の形態３では、操作部材３１の脚部３４と嵌合する溝が、カバー部材３２に形成した縦溝３３であり、この縦溝３３に脚部３４が上下に移動自在にされているが、本発明における溝の形状は、これに限定されるものではなく、たとえば三日月形状の溝などの湾曲した溝とすることもできる。また、前記作用部３５は、全体がくの字状に成形した垂直部と水平部からなるフレーム体にされているが、本発明においては、一対の脚部３４間が弾性変形により縮径と拡径ができる形状であれば、とくにこれに限定されるものではなく、たとえば先端部分のみを板体としたり、または先端の水平フレームを省いたりすることもできる。かかる先端の水平フレームを省いた場合には、作用部が噴射部材に接触する部分（２つの先端部）が軸線を含む面内に位置することになるが、この場合についてもステムを確実に垂直下方へ押し下げることができる。なお、作用部３５のフレーム体の先端部分を板状としたり、水平フレームを備えている場合、図７に示される収納状態Ｃでは、板や水平フレームが噴射部材３７の天面３７ａ付近に位置しており、噴射部材３７の操作を阻止している。
【００２２】
本実施の形態３では、図７に示される収納状態Ｃから、まず容器本体５の胴部を把持したのち、図１０〜１１に示されるように、作用部３５を縦溝３３に沿ってＴ３方向に引き上げると、該作用部３５の弾性変形により一対の脚部３４が広がり凹部３６に嵌り込む。このとき、水平フレームと噴射部材３７の天面３７ａとのあいだに指Ｆを挿入できる空間ができるため、該脚部３４間に指Ｆを挿入したのち、前記噴射部材３７の天面３７ａを指で操作して従来のエアゾール製品と同様に噴射することができる。またはさらに該脚部３４を中心に作用部３５をＴ４方向に回動して、図１２に示されるように、噴射部材３７の天面３７ａに作用部３５を位置させる。このとき、ステム７を確実に垂直下方へ押し下げることができるように、作用部３５が噴射部材３７に接触する部分Ｐが前記ステム７の軸線上に位置している。ついで容器本体５の胴部から底部を把持し、該作用部３５を床や天井、壁などの固定面に押し付けると、脚部３４を支点として、作用部３５を介して前記噴射部材３７を押圧する。これにより、ステム７が押し下げられるため、バルブが開放し、内容物を噴射することもできる。
【００２３】
実施の形態４
これまでの実施の形態では、操作部材がカバー部材に回動自在に支持されているが、本実施の形態４では、操作部材を噴射部材に回動自在に支持させるようにしている。すなわち本実施の形態４は、カバー部材４０、操作部材４１および噴射部材４２からなり、該操作部材４１は、図１３〜１４に示されるように、Ｔ字状の噴射部材４２の頂部を一部水平にカットした部分の両側部４３に軸部４４が支持され、作用部４５が回動自在にされている。
【００２４】
本実施の形態４では、容器本体４６の胴部を把持したのち、前記操作部材４１と噴射部材４２に指を添えることにより、従来のエアゾール製品と同様に噴射することができる。またはさらに作用部４５をＴ５方向に回動して、噴射部材４２のほぼ垂直方向に位置させる。このとき、脚部４４が噴射部材４２に接触する部分であり、前記ステム４７の軸線を含む面内に位置している。ついで容器本体４６の胴部から底部を把持し、該作用部４５の先端部４５ａを床や天井、壁などの固定面に押し付けると、軸部４４を介して前記噴射部材４２を押圧する。これにより、ステム４７が押し下げられるため、バルブが開放し、内容物を噴射することもできる。
【００２５】
なお、これまでの実施の形態では、エアゾールバルブとして、プッシュダウン方式のバルブが用いられているが、本発明においては、これに限定されるものではなく、ステムを傾けてバルブを開放させるティルト方式のバルブを用いることもができる。
【００２６】
【発明の効果】
以上説明したとおり、本発明によれば、床面と冷蔵庫とのあいだの狭い空間や、壁面とタンスなどの物体とのあいだの狭い空間などに内容物を容易に噴射することができる。また、靴の中などのように、開口部が狭く奥行きの長い空間についても容易に噴射することができる。
【図面の簡単な説明】
【図１】本発明の実施の形態１にかかわるエアゾール製品を示す要部断面図である。
【図２】実施の形態１にかかわるエアゾール製品の使用例を説明する図である。
【図３】図２のエアゾール製品の斜視図である。
【図４】本発明の実施の形態２にかかわるエアゾール製品を示す要部断面図である。
【図５】図４のエアゾール製品の正面図である。
【図６】実施の形態２にかかわるエアゾール製品の使用を説明する図である。
【図７】本発明の実施の形態３にかかわるエアゾール製品を示す要部断面図である。
【図８】図７の操作部材の斜視図である。
【図９】図７のＩ−Ｉ線断面図である。
【図１０】実施の形態３にかかわるエアゾール製品の使用例を説明する図である。
【図１１】図７のＩＩ−ＩＩ線断面図である。
【図１２】実施の形態３にかかわるエアゾール製品の使用例を説明する図である。
【図１３】本発明の実施の形態４にかかわるエアゾール製品を示す要部断面図である。
【図１４】図１３の操作部材と噴射部材の斜視図である。
【符号の説明】
１　　エアゾール容器
２、２５、３７、４２　　噴射部材
２ａ，２５ａ、３７ａ　天面
３、２４、３２、４０　　カバー部材
３ａ、２４ａ、３２ａ，４３　　側部
４、２３、３１、４１　　操作部材
５、４６　　容器本体
６　　エアゾールバルブ
７、４７　　ステム
８　　マウンティングカップ
９、２６　　噴射口
１０　　係合爪
１１、２１　　軸部
１２、２２、３５、４５　　作用部
１２ａ、２２ａ、４５ａ　先端部
２７　　開口
３３　　縦溝
３４、４４　　脚部
３６　　凹部
【図１】
2004074040.tif 000003
【図２】
2004074040.tif 000004
【図３】
2004074040.tif 000005
【図４】
2004074040.tif 000006
【図５】
2004074040.tif 000007
【図６】
2004074040.tif 000008
【図７】
2004074040.tif 000009
【図８】
2004074040.tif 000010
【図９】
2004074040.tif 000011
【図１０】
2004074040.tif 000012
【図１１】
2004074040.tif 000013
【図１２】
2004074040.tif 000014
【図１３】
2004074040.tif 000015
【図１４】
2004074040.tif 000016